(57)【要約】      （修正有）【課題】渦巻型線香の破損を防止すると共に、渦巻型線香の取り扱いを容易にすることが可能な渦巻型線香包装用シートを提供する。【解決手段】本渦巻型線香包装用シート１０は、板状の可撓性材料からなる基部１５と、基部に設けられた帯状部２０とを備える。帯状部２０は、長手方向両端部において基部１５に接続されており、帯状部２０は、該帯状部２０と基部１５とにより挟持された渦巻型線香１００の中心部を係止可能な爪部２６を有する。【選択図】図３
0003169818.tif 000002
【実用新案登録請求の範囲】
【請求項１】
板状の可撓性材料からなる基部と、前記基部に設けられた帯状部と、を備える渦巻型線香包装用シートであって、
前記帯状部は、長手方向両端部において前記基部に接続されており、
前記帯状部は、前記帯状部と前記基部とにより挟持された渦巻型線香の中心部を係止可能な爪部を有することを特徴とする渦巻型線香包装用シート。
【請求項２】
前記基部は略正方形形状であり、前記帯状部は前記基部の対角線上に沿って設けられることを特徴とする請求項１に記載の渦巻型線香包装用シート。
【請求項３】
前記帯状部は前記基部に設けられた２本の切込みにより形成されることを特徴とする請求項１または２に記載の渦巻型線香包装用シート。
【考案の詳細な説明】
【技術分野】
【０００１】
本考案は、渦巻型線香の包装に用いられるシートに関する。
【背景技術】
【０００２】
渦巻型線香は、香木、植物等の粉末を練って形成した細長い棒状の線材を、さらに渦巻状に成形することにより製造される。このように製造された渦巻型線香は、線材自体が脆いために衝撃に弱い。また、渦巻型線香は、線材と線材との間に渦巻状の間隙が残るように成形されるため、特に径方向の外力に対して弱く、輸送時に破損してしまうことがあった。
【０００３】
そこで、従来、渦巻型線香の包装構造として、渦巻型線香と仕切シートとを交互に複数重積して保持材により径方向外方から支持した後に、全体を箱に収納する手法が提案されている（例えば、特許文献１参照）。
【先行技術文献】
【特許文献】
【０００４】
【特許文献１】特開２００２−５９９７３号公報
【考案の概要】
【考案が解決しようとする課題】
【０００５】
しかしながら、従来の包装構造では、渦巻型線香を包装から取り出す際に、渦巻型線香を径方向外方から支持している保持材が取り外されてしまうので、重積された渦巻型線香がばらばらになるおそれがあり、取扱いが容易ではない。さらに、単体の渦巻型線香は仕切シートや保持材に対して固定されていないため、箱の外側から衝撃が加えられた場合に渦巻型線香が箱の中で動き、破損してしまうおそれもある。
【０００６】
本考案は上記の課題に鑑みてなされたものであり、渦巻型線香の破損を防止すると共に、渦巻型線香の取り扱いを容易にすることが可能な渦巻型線香包装用シートを提供することを目的とする。
【課題を解決するための手段】
【０００７】
本考案の上記目的は、下記の構成により達成される。
（１）  板状の可撓性材料からなる基部と、前記基部に設けられた帯状部と、を備える渦巻型線香包装用シートであって、
前記帯状部は、長手方向両端部において前記基部に接続されており、
前記帯状部は、前記帯状部と前記基部とにより挟持された渦巻型線香の中心部を係止可能な爪部を有することを特徴とする渦巻型線香包装用シート。
（２）  前記基部は略正方形形状であり、前記帯状部は前記基部の対角線上に沿って設けられることを特徴とする（１）に記載の渦巻型線香包装用シート。
（３）  前記帯状部は前記基部に設けられた２本の切込みにより形成されることを特徴とする（１）または（２）に記載の渦巻型線香包装用シート。
【考案の効果】
【０００８】
本考案によれば、帯状部に設けられた爪部により渦巻型線香の中心部が渦巻型線香包装用シートに固定されるので、渦巻型線香の径方向の動きを抑制して破損を防止することができる。また、１つの渦巻型線香包装用シートに１つの渦巻型線香が固定されるので、渦巻型線香を個別に扱うことができ、取扱いが容易となる。
【０００９】
また、帯状部が基部の対角線上に沿って設けられることにより、渦巻型線香包装用シートのサイズを小さくすることが可能となる。
【００１０】
また、基部に設けられた２本の切込みにより帯状部が形成されることにより、１つのシートから渦巻型線香包装用シートを製造することが可能となる。
【図面の簡単な説明】
【００１１】
【図１】本考案に係る渦巻型線香包装用シートの平面図である。
【図２】図１の渦巻型線香包装用シートを手で撓ませた状態の図である。
【図３】図１の渦巻型線香包装用シートに渦巻型線香を収容する手順を示す図である。
【図４】図１の渦巻型線香包装用シートが渦巻型線香を収容した状態を示す図である。
【図５】図１の渦巻型線香包装用シートから渦巻型線香を取り外す手順を示す図である。
【考案を実施するための形態】
【００１２】
以下、本考案に係る渦巻型線香包装用シートの実施形態を、図面に基づいて詳細に説明する。本考案の渦巻型線香包装用シート１０はケント紙等の厚紙から構成され、図１に示すように、略正方形形状の基部１５と、帯状部２０と、を備える。基部１５は、第１角部１１、第２角部１２、および第３角部１３を有しており、第２角部１２の対角上には、略半円弧形状を有する切欠部１４が形成されている。尚、本明細書において、「略正方形形状」であるとは、実質的に正方形形状を有するシートから一部を切り欠いた形状を含むものであり、例えば３つの角部が略直角である形状を含む。
【００１３】
渦巻型線香包装用シート１０には、基部１５の第１角部１１から第３角部１３へと延びる対角線に沿って、第１切り込み線１７および第２切り込み線１８が形成されている。これら第１切り込み線１７および第２切り込み線１８により、帯状部２０が形成される。ここで、第１切り込み線１７および第２切り込み線１８は、対象とする渦巻型線香１００の径方向寸法よりも長くなるように形成されており、帯状部２０の長手方向寸法が渦巻型線香１００の径方向寸法よりも長くなるように構成されている。帯状部２０は、第１長手方向端部２１および第２長手方向端部２３において、基部１５に接続されている。また、帯状部２０の長手方向略中央の第２切り込み線１８側（切欠部１４側）には、折り曲げ線２５により下方に折り曲げ可能な爪部２６が形成されている。
【００１４】
上述したように、渦巻型線香包装用シート１０はケント紙により構成されているため、使用者の指などによってある程度撓ませることが可能である。図２に示すように、使用者が渦巻型線香包装用シート１０を手２００で把持し、第１角部１１および第３角部１３を指で押すことにより、基部１５が撓んで下方へと湾曲し、帯状部２０が基部１５から分離して空間２８が形成される。第１角部１１、第２角部１２、および第３角部１３は、使用者の指を傷つけないように丸み付けされている。
【００１５】
図３に示すように、渦巻型線香１００は第１端部１０１および第２端部１０２を有する線材１０５を、渦巻型線香１００と相補形状の渦巻型間隙１０６を形成しながら渦巻状に巻くことにより形成されている。渦巻型間隙１０６の径方向中心部、すなわち渦巻型線香１００の径方向中心側には、中心部間隙１０８が形成されている。
【００１６】
運搬等のために渦巻型線香１００を包装する際は、渦巻型線香包装用シート１０の第１角部１１および第３角部１３を指で押し、基部１５を撓ませて空間２８を形成する。そして、図３に示すように、第２角部１２側（図中手前側）から基部１５上を滑らせるように渦巻型線香１００を空間２８内に挿入する。尚、図３においては、簡略化のため、使用者の手２００は図示を省略している。空間２８内に挿入された渦巻型線香１００の中心部間隙１０８を爪部２６に対して位置決めして手を離すと、図４に示すように、渦巻型線香１００が帯状部２０と基部１５との間に挟持されると共に、爪部２６が渦巻型線香１００の中心部間隙１０８に係合する。これにより、渦巻型線香１００が径方向中心部において渦巻型線香包装用シート１０へと固定される。
【００１７】
渦巻型線香１００を渦巻型線香包装用シート１０から取り外す際には、図５に示すように、渦巻型線香包装用シート１０の第１角部１１および第３角部１３を指で押すことにより、再び基部１５を撓ませて空間２８を形成する。これにより、渦巻型線香１００の中心部間隙１０８と爪部２６との係合が解除される。そして、渦巻型線香１００を切欠部１４側（図中奥側）へと滑らせるように移動させることにより、切欠部１４において渦巻型線香１００を渦巻型線香包装用シート１０から容易に取り外すことができる。
【００１８】
以上説明したように、本実施形態の渦巻型線香包装用シート１０によれば、帯状部２０に設けられた爪部２６により渦巻型線香１００の径方向中心部を固定できるので、渦巻型線香１００の径方向の動きを抑制して破損を防止することができる。また、１つの渦巻型線香包装用シート１０に１つの渦巻型線香１００が固定されるので、渦巻型線香１００を渦巻型線香包装用シート１０に固定した状態で個別に運搬することが可能であり、取扱いを容易にすることができる。
【００１９】
また、本実施形態の渦巻型線香包装用シート１０によれば、略正方形形状の基部１５の対角線上に沿って帯状部２０が設けられているので、渦巻型線香包装用シート１０のサイズを最小限にすることができ、製造コストを低減し、取扱いを容易にすることができる。また、基部１５に設けられた第１切り込み線１７および第２切り込み線１８により帯状部２０が形成されることにより、１つのシートから渦巻型線香包装用シート１０を製造することができるので、製造を容易にし、コストを低減することができる。また、基部１５に切欠部１４が設けられていることにより、渦巻型線香１００の取り外しを容易にすることができる。
【００２０】
以上、本考案の一実施形態を説明したが、本考案は前記に限定されるものではなく、種々の変形が可能である。例えば、上述した実施形態では、渦巻型線香包装用シート１０をケント紙から構成していたが、使用者によって撓ませることが出来る程度の可撓性がある素材であれば何でもよく、他種の紙や樹脂シート等から渦巻型線香包装用シートを構成してもよい。また、上述した実施形態では、渦巻型線香包装用シート１０に略半円弧形状の切欠部１４が設けられていたが、切欠部１４の形状はこれに限られず、切欠部１４が設けられなくてもよい。
【００２１】
また、上述した実施形態では、帯状部２０は基部１５の対角線に沿って設けられていたが、帯状部は基部上のどの位置に設けられていても良い。また、帯状部２０は基部１５に設けられた第１切り込み線１７および第２切り込み線１８により形成されていたが、基部に帯状部を接着すること等により形成されても良い。また上述した実施形態では基部１５が略正方形形状に構成されていたが、これに限られず、円形形状、矩形形状等であってもよい。
【符号の説明】
【００２２】
１０    渦巻型線香包装用シート
１５    基部
１７    第１切り込み線
１８    第２切り込み線
２０    帯状部
２１    第１長手方向端部
２３    第２長手方向端部
２６    爪部
１００  渦巻型線香
【図１】
0003169818.tif 000003
【図２】
0003169818.tif 000004
【図３】
0003169818.tif 000005
【図４】
0003169818.tif 000006
【図５】
0003169818.tif 000007